(57)【要約】【課題】液体による天板等の傷みを抑え、容易に掃除ができる床頭台を提供する。【解決手段】  天板３０上に脱着可能なトレー３２を装着する。これにより、利用者が床頭台２０利用時に誤って液体等をこぼしても、トレー３２上に液体等が保持される。これにより、天板３０を含む床頭台２０に液体等がかかることを防ぐことができ、床頭台２０の液体等による傷みを抑えることができる。また、トレー３２を取り外すことで、トレー３２を丸ごと水洗い等することができ、容易に掃除をすることができる。【選択図】図２
2013070948.tif 000002
【特許請求の範囲】
【請求項１】
ベッドサイドに設置される床頭台であって、
床面に直交する方向に沿ってそれぞれ配置され、互いに対向する一対の側壁部材と、該一対の側壁部材間に固定され、両者を連結する少なくとも１つの連結部材とを含み、全体として略直方体状を有するキャビネット部を有する木製の床頭台本体と、
前記連結部材の上方の装着対象部位に脱着可能に装着され、液体を一時的に保持可能なプレート部材と、を備える床頭台。
【請求項２】
前記少なくとも１つの連結部材は、前記キャビネット部の天井部を兼ねる板状の第１連結部材を含み、
前記プレート部材は、前記第１連結部材上に装着される請求項１に記載の床頭台。
【請求項３】
前記床頭台本体は、前記キャビネット部の上方に配置された第２天井部をさらに有し、
前記プレート部材は、前記第２天井部上にも装着可能である請求項２に記載の床頭台。
【請求項４】
前記床頭台本体は、前記キャビネット部の上方に配置された第２天井部をさらに有し、
前記第２天井部には、前記プレート部材と同様の構成の別のプレート部材が脱着可能に装着されている請求項２に記載の床頭台。
【請求項５】
前記プレート部材を前記装着対象部位に対して脱着可能に装着するための接続装置をさらに備え、
該接続装置は、少なくとも一部が前記プレート部材に取り付けられている請求項１〜４のいずれか一項に記載の床頭台。
【請求項６】
前記プレート部材は、前記一対の側壁部材に沿う奥行き方向の長さが調整可能である請求項１〜５のいずれか一項に記載の床頭台。
【請求項７】
前記プレート部材は、前記一対の側壁部材に沿ってスライドさせることで、前記装着対象部位に装着される請求項１〜６のいずれか一項に記載の床頭台。
【請求項８】
前記プレート部材は、少なくとも表面が防水性を有する請求項１〜７のいずれか一項に記載の床頭台。
【請求項９】
前記プレート部材と同様に構成され、前記プレート部材と取り替え可能な予備のプレート部材をさらに備える請求項１〜８のいずれか一項に記載の床頭台。
【請求項１０】
前記プレート部材は、トレーである請求項１〜９のいずれか一項に記載の床頭台。
【発明の詳細な説明】
【技術分野】
【０００１】
本発明は、床頭台に係り、特に、病室などでベッドサイドに置かれる床頭台に関する。
【背景技術】
【０００２】
従来、病院などの病室では、入院患者のためにベッドサイドに床頭台と呼ばれるサイドキャビネットを設置していることが多い。床頭台の天板上には、患者が日常的に使用するカップ又はティッシュボックスなどの日常品と、薬剤又は医療従業者が使用する検診用具などを置くことができ、患者の入院生活及び医療従業者の医療活動の一助となっている。
【０００３】
床頭台の天板上に置かれたグラス、カップ、あるいは湯呑みなどの飲み物用容器内に入った飲み物（水、白湯、ジュースなど）を飲むとき、又は飲み物の入った飲み物用容器を天板上に置くときに、誤って中の液体を天板上にこぼすことがある。しかるに、従来、床頭台としては木製の床頭台が多く用いられ、特に近年では、スチール製などに比べて暖かみが感じられ、患者の心を落ち着かせる上、美観の面でも優れているなどの理由で、木製の床頭台を用いることが一般的である。特に、オーダーメイドの床頭台は、殆ど全てが木製である。このため、天板上に飲み物をこぼした場合に、天板上にシミができたり、天板を傷めたりするおそれがあった。また、患者又は医療従業者などが天板上を掃除する場合、一度天板上に置かれたコップなどを片づけ、天板が傷まないよう雑巾などを用いて水ぶき、又は乾拭きをする必要がある。
【０００４】
特に、例えば特許文献１に記載の床頭台のように、天板の上方にテレビジョン（以下、「テレビ」と称する）を吊下げるタイプの床頭台では、吊下げられたテレビが障害となり誤ってコップ内の液体をこぼす可能性が高くなると同時に、天板を掃除するときにテレビが障害となり拭き残しが発生するなど衛生面上の問題も生じるおそれがあった。
【０００５】
そのため、天板を含む床頭台に液体をこぼしても床頭台を傷めることがなく、また、掃除が容易な床頭台が望まれていた。
【先行技術文献】
【特許文献】
【０００６】
【特許文献１】特開２０１０−０２８３５３４号公報
【発明の概要】
【課題を解決するための手段】
【０００７】
本発明は、上述の事情の下でなされたもので、第１の観点からすると、ベッドサイドに設置される床頭台であって、床面に直交する方向に沿ってそれぞれ配置され、互いに対向する一対の側壁部材と、該一対の側壁部材間に固定され、両者を連結する少なくとも１つの連結部材とを含み、全体として略直方体状を有するキャビネット部を有する木製の床頭台本体と、前記連結部材の上方の装着対象部位に脱着可能に装着され、液体を一時的に保持可能なプレート部材と、を備える床頭台である。
【０００８】
これによれば、液体を一時的に保持可能なプレート部材が連結部材の上方の装着対象部位に脱着可能に装着されているので、床頭台の使用者（利用者）、例えば患者などが、飲料容器内の飲み物をこぼしても、その飲料が、プレート部材によって一時的に保持され、床頭台本体に付着することが防止される。これにより、木製の床頭台本体にシミができたり、床頭台本体が傷んだりすることを防止することができる。これに加え、プレート部材は、着脱可能であることから、これを取り外して洗うことで、簡単にその表面の清掃を行うことができ、衛生的でもある。
【図面の簡単な説明】
【０００９】
【図１】第１の実施形態に係る床頭台をベッドと共に示す斜視図である。
【図２】第１の実施形態に係る床頭台を概略的に示す斜視図である。
【図３】図３（Ａ）は、第１の実施形態に係る床頭台の天板上に装着されるトレーを示す平面図、図３（Ｂ）は、第１の実施形態に係るトレーの着脱方法を説明するための図であって、トレー及び床頭台本体を斜視図にて示す図である。
【図４】第２の実施形態に係るトレーを示す平面図である。
【図５】図５（Ａ）は、第２の実施形態に係るトレーの着脱方法を説明するための図（その１）、図５（Ｂ）は、第２の実施形態に係るトレーの着脱方法を説明するための図（その２）かつ床頭台を示す一部省略した正面図である。
【図６】図６（Ａ）は、第３の実施形態に係るトレーを示す斜視図、図６（Ｂ）は、第３の実施形態に係るトレーの着脱方法を説明するための図かつ床頭台を示す一部省略した正面図である。
【図７】第４の実施形態に係るトレーを示す一部省略した斜視図である。
【発明を実施するための形態】
【００１０】
《第１の実施形態》
以下、本発明の第１の実施形態について、図１〜図３（Ｂ）に基づいて説明する。
【００１１】
図１には、第１の実施形態に係る床頭台２０が、ベッド１０とともに示されている。床頭台２０は、不図示のテレビ取付装置を介して液晶テレビ４０が吊り下げ支持されるタイプの床頭台である。テレビ取付装置としては、例えば特許第２９１４５６８号公報に開示されるテレビ取付装置を用いることができる。床頭台２０は、ベッド１０に対してどのような向きで配置しても良く、また、設置場所も例えばベッド１０に対して所望の位置関係となる位置に定めれば良い。
【００１２】
床頭台２０は、図２に示されるように、概略直方体状のキャビネット部９６と、その上方の部分（本実施形態ではテレビを吊り下げ支持する部分であるので、以下、便宜上テレビ台部と呼ぶ）とが一体的に構成された床頭台本体９８と、床頭台本体９８の一部である取り付け対象部位に脱着可能に装着される複数、例えば２つのトレー３２とを備えている。床頭台本体９８は、ミドルタイプなどと呼ばれている。
【００１３】
床頭台２０は、図２に示されるように、床頭台本体９８の底面に設けられた複数のキャスタ２７を介して床面上に設置されている。以下、床頭台２０の前後方向をＸ軸方向とし、水平面内でＸ軸に直交する方向をＹ軸方向、Ｘ軸及びＹ軸に直交する方向をＺ軸方向として説明を行う。なお、図２以降の各図では、液晶テレビ４０の図示は省略されている。
【００１４】
床頭台本体９８は、その底面に複数のキャスタ２７が設けられた底板２２、一対の側板２３、背板２４、天井板２５、天井板２５の下方に配置される天板３０、底板２２と一対の側板２３と背板２４と天板３０とによって囲まれた直方体の空間内に収容される収納部２９等を備えている。
【００１５】
底板２２は、平面視矩形の薄板部材から成る。底板２２の両側面（±Ｙ側面）には、一対の側板２３が互いに対向してかつそれぞれＸＺ平面に平行に配置されている。この一対の側板２３の下端部が底板２２の両側面（±Ｙ側面）に固定されることで、一対の側板２３が、底板２２によって連結されている。一対の側板２３のそれぞれには、Ｚ軸方向（高さ方向）の中央部より幾分上方に前端（＋Ｘ側端）からＸ軸方向中央より幾分−Ｘ側に至る側面視矩形の切り欠き３３が形成されている。切り欠き３３は、天板３０よりも上方に位置している。以下、一対の側板２３それぞれの天板３０よりも＋Ｚ側に突出した部分（天板３０上面から切り欠き３３の下端までに対応する側板２３の部分）を突出部７０と称する。
【００１６】
また、底板２２の背面（−Ｘ側面）には、薄板部材である背板２４がＹＺ平面に平行に配置される。背板２４は、一対の側板２３にＹ軸方向の両端面が固定され、かつその下端部が底板２２の−Ｘ側の端面に固定されている。天井板２５は、平面視矩形の薄板部材であり、一対の側板２３と背板２４とのそれぞれの上端部近傍に固定されている。天井板２５は、前述の切り欠き３３よりも上方に位置し、天井板２５が組付けられた状態で、一対の側板２３と背板２４とが天井板２５に対して幾分上方に突出している。以下では、便宜上、一対の側板２３の天井板２５よりも＋Ｚ側に突出した部分を第２突出部３５と呼ぶ。
【００１７】
天板３０は、平面視矩形の薄板部材から成り、前述の切り欠き３３より幾分低い位置に配置され、一対の側板２３及び背板２４に固定されている。
【００１８】
収納部２９は、開閉扉２８、開閉扉２８上部に配置される下側引き出し２７及び下側引き出し２７上部に配置される上側引き出し２６を有している。開閉扉２８、下側引き出し２７及び上側引き出し２６のそれぞれが配置される空間は、一対の側板２３及び背板２４に固定された２枚の中仕切り板３４のそれぞれによって仕切られている。
【００１９】
以上の説明から明らかなように、本実施形態では、天板３０及び２枚の中仕切り板３４が、一対の側板２３を連結する連結部材を構成している。また、底板２２、一対の側板２３、背板２４、天板３０、２枚の中仕切り板３４、開閉扉２８、下側引き出し２７及び上側引き出し２６によって、キャビネット部９６が構成されている。
【００２０】
トレー３２は、平面視矩形の薄板部材から成り、天板３０（天井板２５）上面上に脱着可能に装着されている。なお、トレー３２の着脱方法は、後で詳述する。トレー３２は防水性を有し、軽量で比較的丈夫な材料、例えばプラスチックなどで構成されている。トレー３２は、図３（Ａ）に示されるように、平面視略矩形状の底面部４２、底面部４２の−Ｘ側端の全域から上方に立ち上がった後方立ち上がり部４４及び底面部４２の±Ｙ側端の全域から上方に立ち上がった一対の側方立ち上がり部４５を有している。ここで、図３（Ａ）では、底面部４２は簡略化して平面視矩形に図示されているが、実際には、底面部４２の後ろ側の両角部には、例えば半径１０ｍｍ程度の円弧部が設けられており、後方立ち上がり部４４と一対の側方立ち上がり部４５との境の部分にも円弧部が設けられている。
【００２１】
また、底面部４２は、幅（Ｙ軸方向長さ）、奥行き（Ｘ軸方向長さ）に比べ厚み（Ｚ軸方向長さ）が非常に小さく、それぞれ例えば、４４８ｍｍ、４３５ｍｍ、５ｍｍ程度の寸法から成る。また、底面部４２は、後方から前方に行くに従って上面の高さ（上面のＺ位置）が徐々に高くなるよう設定されている。これにより、飲み物をトレー３２上にこぼした場合、その飲み物は、トレー３２から漏れ出すこと無く、トレー３２上に（一時的）に保持される。なお、底面部４２は、幅方向の長さが後方から前方（−Ｘ側から＋Ｘ側）に行くに従って直線的に増加する台形状、一例として＋Ｘ側端での幅方向寸法が４４８ｍｍであるのに対し、−Ｘ側端での幅方向寸法が４４０ｍｍとなっていても良い。
【００２２】
また、底面部４２には、複数（例えば２つ）の平面視円形の第１凹部４６と２つの第１凹部４６に挟まれた平面視矩形の第２凹部４８とを有している。２つの第１凹部４６及び第２凹部４８は、底面部４２上の＋Ｘ側端部近傍にそれぞれ配置されている。第１凹部４６は、カップ、湯呑み、あるいはグラス等を置くのに適している。また、第２凹部４８は、一例として、ティッシュボックスを置くのに適している。
【００２３】
後方立ち上がり部４４は、底面部４２の−Ｘ端の全域に渡って設けられた所定高さ、例えば２０ｍｍ程度の薄板部から成る。なお、後方立ち上がり部４４は、例えば下端の厚みが８ｍｍであるのに対し、上端の厚みが３ｍｍである断面台形状の薄板部となっていても良い。
【００２４】
一対の側方立ち上がり部４５のそれぞれは、底面部４２の±Ｙ側端の全域に形成された所定高さ、例えば２０ｍｍ程度の棒状部材から成る。一対の側方立ち上がり部４５のそれぞれは、図３（Ｂ）に示されるように、底面部４２の前端（＋Ｘ端）から奥行き方向（Ｘ軸方向）の中央部より幾分後端（−Ｘ端）側の位置まで延びる第１部分９０と、該第１部分９０の後ろ側（−Ｘ側）に位置する第２部分９１とを有する。第１部分９０は、下面（−Ｚ側面）の幅方向（Ｙ軸方向）中央部にその全長に渡って溝部６４が形成された断面矩形の棒状部から成る。該第１部分９０は長手方向（Ｘ軸方向）両端が溝部６４により開口されている。第２部分９１は、第１部分の断面逆凹状部における幅方向外側のＬ字状部が取り除かれた幅方向内側の薄板部のみから成る。以下、一対の側方立ち上がり部４５それぞれの第１部分９０を固定部９０と称する。なお、固定部９０は、例えば底面部４２の奥行き方向の中央部より幾分後方から前端部近傍、例えば前端から１５ｍｍ程度の位置まで形成されていても良い。
【００２５】
次に、トレー３２の対象部位に対する装着（取り付け）動作について説明する。以下の説明では、トレー３２を天板３０上に装着する方法について説明するが、天井板２５上に装着する際も同様の方法にて装着される。また、以下の各実施形態においても同様に、トレー３２を天板３０上に装着する方法について説明するが、天井板２５上に装着する際も同様の方法にて装着される。
【００２６】
図３（Ｂ）に示されるように、患者又は医療従業者などの床頭台２０を使用する者（以下、適宜「利用者」と称する）は、例えば右手で＋Ｙ側の固定部９０を把持し、左手で−Ｙ側の固定部９０を把持する。次に、利用者は、一対の固定部９０の溝部６４を一対の突出部７０に係合させた状態で、トレー３２を−Ｘ方向（図３（Ｂ）中の白抜き矢印の方向）にスライド（移動）させる。そして、トレー３２の後方立ち上がり部４４が、背板２４に当接したことを確認すると、利用者は、一対の固定部９０から両手を離す。
【００２７】
ここで、トレー３２の天板３０に対するＸ位置は、天板３０上にトレー３２が装着された状態でトレー３２上に例えばカップなどを載置したときに、トレー３２が天板３０上から落下しない位置であれば良いが、通常は、トレー３２のサイズは、天板３０のサイズを考慮して定められるので、トレー３２の後方立ち上がり部４４を背板２４に当接させれば、トレー３２の前端面と、天板３０の前端面とがほぼ面一になる。
【００２８】
次にトレー３２の取り外し動作について説明する。利用者は、トレー３２上に空のカップなどを載置した状態又はトレー３２上からカップなどを取り去った状態で、例えば−Ｙ側の固定部９０を左手で把持し、＋Ｙ側の固定部９０を右手で把持する。一対の固定部９０を把持した状態で、利用者は、トレー３２を＋Ｘ方向にスライド（移動）させ、天板３０上からトレー３２を引き抜く。
【００２９】
以上説明したように、本第１の実施形態に係る床頭台２０によれば、天板３０の上に防水性を有するトレー３２を装着したので、利用者が誤って飲み物等の液体をこぼしたとしてもトレー３２上に液体が保持され、天板３０に液体が付着することが防止され、天板３０を含む床頭台本体９８が汚れたり（シミの発生を含む）、傷んだりすることを防止することが可能になる。
【００３０】
また、本実施形態に係る床頭台２０では、トレー３２が液体の付着等により汚れた場合、利用者は、トレー３２を、天板３０上から取り外して水洗いなどすることができる。従って、トレー３２の上面を清潔に保つことができる。また、飲み物をこぼすなどのおそれがない場合には、利用者は、トレー３２を取り外した状態で、床頭台２０を使用しても良い。
【００３１】
また、トレー３２は、突出部７０に固定部９０の溝部６４を嵌合することで取り付けられるので、図２に示されるように、トレー３２を側板２３の第２突出部３５に固定部９０の溝部６４を係合させ、天井板２５上に装着することもできる。
【００３２】
《第２の実施形態》
次に第２の実施形態について図４〜図５（Ｂ）に基づいて説明する。第２の実施形態に係る床頭台は、トレーの構成、具体的には、トレーを一対の突出部７０を介して床頭台本体９８（図２参照）に取り付けるための構成が一部異なる点を除き、上記第１の実施形態とほぼ同様になっている。以下、上記第１の実施形態と同様の構成、及び機能を有する部材については、上記第１の実施形態と同じ符号を用いると共に、その説明を省略する。
【００３３】
図４に示されるように、第２の実施形態に係るトレー１３２には、トレー１３２を前述の天板３０上に装着するための一対の固定部材６０がトレー１３２のＹ方向両端部に設けられている。一対の固定部材６０は、第１の実施形態におけるトレー３２に設けられた固定部９０と同様の形状を有するが、側方立ち上がり部４５ａから分離して配置されている点が異なる。一対の側方立ち上がり部４５ａは、底面部４２の±Ｙ側端の後端から前端近傍、例えば前端から１５ｍｍ程度の位置まで形成されている。なお、一対の側方立ち上がり部４５ａは、±Ｙ側端の全域に形成されていても良い。−Ｙ側の固定部材６０は、例えば圧縮コイルばねなどの弾性部材６２を複数介して−Ｙ側の側方立ち上がり部４５ａに接続され、＋Ｙ側の固定部材６０は、＋Ｙ側の側方立ち上がり部４５ａに固定されている。＋Ｙ側の固定部材６０と、＋Ｙ側の側方立ち上がり部４５ａとの固定は、例えば接着材による固定またはボルトなどを用いた機械的な固定でも良いし、固定部材６０と側方立ち上がり部４５ａとを一体成形しても良い。ここで、本実施形態では、トレー１３２、複数の弾性部材６２、及び一対の固定部材６０は、全体として、床頭台本体９８に対して一体で着脱されるトレーユニット９２を構成する。
【００３４】
次に、トレー１３２（トレーユニット９２）の対象部位に対する装着（取り付け）動作について説明する。一例として、弾性部材６２が自然長のときに、一対の固定部材６０に形成された溝部６４間の距離（Ｙ軸方向の間隔）が、一対の側板２３相互の間隔（Ｙ軸方向の距離）に比べて、長い場合について説明する。
【００３５】
図５（Ａ）に示されるように、利用者は、例えば右手で＋Ｙ側の固定部材６０を把持し、左手で−Ｙ側の固定部材６０を把持した状態で、−Ｙ側の固定部材６０と＋Ｙ側の固定部材６０との間隔が、一対の側板２３の間隔に一致するように、一対の固定部材６０を相互に近づけ、複数の弾性部材６２を縮める。
【００３６】
そして、一対の固定部材６０に形成された溝部６４間の距離と一対の側板２３の間隔がおおよそ同じになったことを確認した後、利用者は、一対の突出部７０に一対の固定部材６０の溝部６４を係合させた状態で、一対の固定部材６０と共にトレー１３２を、−Ｘ方向（図５（Ａ）中の白抜き矢印の方向）にスライド（移動）させる。そして、トレー１３２の後方立ち上がり部４４が、背板２４に当接したことを確認すると、利用者は、一対の固定部材６０から両手を離す。これにより、図５（Ｂ）に示されるように、弾性部材６２の弾性力により固定部材６０が突出部７０の側面に押圧され、トレー１３２が、天板３０上に固定される。
【００３７】
次にトレー１３２（トレーユニット９２）の取り外し動作について説明する。利用者は、トレー１３２上に空のカップなどを載置した状態又はトレー１３２上からカップなどを取り去った状態で、例えば−Ｙ側の固定部材６０を左手で把持し、＋Ｙ側の固定部材６０を右手で把持する。一対の固定部材６０を把持した状態で、かつ弾性部材６２の弾性力による−Ｙ側の固定部材６０の突出部７０の側面に対する圧接を解除した状態で、利用者は、一対の固定部材６０と共にトレー１３２を＋Ｘ方向にスライド（移動）させ、天板３０上からトレー１３２を引き抜く。
【００３８】
以上説明したように、本第２の実施形態に係る床頭台２０によれば、上述の第１の実施形態で得られる効果に加え、弾性部材６２を介して固定部材６０が接続されているので、トレー１３２を前述のようにして天板３０上に装着後、両手を離すだけで、トレー１３２を床頭台本体９８に固定することができる。
【００３９】
《第３の実施形態》
次に第３の実施形態について図６（Ａ）、図６（Ｂ）に基づいて説明する。第３の実施形態に係る床頭台は、トレーユニットの構成、具体的には、トレーを一対の突出部７０を介して床頭台本体に取り付けるための構成が一部異なる点を除き、上記第２の実施形態とほぼ同様になっている。以下、上記第２の実施形態と同様の構成、及び機能を有する部材については、上記第２の実施形態と同じ符号を用いると共に、その説明を省略する。
【００４０】
第３の実施形態に係るトレーユニット１９２は、図６（Ａ）に示されるように、底面部４２、後方立ち上がり部４４、一対の側方立ち上がり部４５ａとを有するトレー２３２と、一対の側方立ち上がり部４５ａそれぞれの外側面に固定された一対の固定部材６０ａとを有している。固定部材６０ａ及び固定部材６０ａ底面に形成された溝部６４ａは、幅方向（Ｙ軸方向）の寸法が前記第２の実施形態における固定部材６０に比べ幾分長く設定されている。すなわち、溝部６４ａの幅は、図６（Ｂ）に示されるように、対応する側板２３の突出部７０の幅（Ｙ軸方向寸法）に比べ十分広くなるように設定されている。
【００４１】
一対の固定部材６０ａそれぞれの内壁には、図６（Ｂ）に示されるように、圧縮コイルばね等の弾性部材８６を介して押さえ部材８４が接続されている。押さえ部材８４は、Ｘ軸方向に延びる厚さの薄い板状部材から成り、溝部６４ａ内に少なくとも一部、例えば前端部の一部を除く残りの部分が収容されている。弾性部材８６は、＋Ｙ側の固定部材６０ａでは、＋Ｙ側の内壁面に接続され、−Ｙ側の固定部材６０ａでは、−Ｙ側の内壁面に接続されている。各押さえ部材８４は、それぞれが接続された弾性部材８６が自然長のとき、その弾性部材８６の付勢力により固定部材６０ａの内側側壁に押し付けられている。すなわち、弾性部材８６が自然長のとき、−Ｙ側の固定部材６０ａに取り付けられた押さえ部材８４は、その固定部材６０ａの＋Ｙ側の内壁と接触し、＋Ｙ側の固定部材６０ａに取り付けられた押さえ部材８４は、その固定部材６０ａの−Ｙ側の内壁と接触している。
【００４２】
次に、トレーユニット１９２（トレー２３２）の取り付け動作について説明する。
【００４３】
利用者は、例えば右手で＋Ｙ側の固定部材６０ａを把持し、左手で−Ｙ側の固定部材６０ａを把持する。このとき、利用者は、一対の押さえ部材８４を弾性部材８６の付勢力に抗し、Ｙ軸方向外側に移動させる。次に、利用者は、トレー２３２のＹ軸方向中央のＹ位置と天板３０のＹ軸方向中央のＹ位置とを合わせる。その後、利用者は、トレー２３２（トレーユニット１９２）を、一対の側板２３の突出部７０が固定部材６０ａの溝部６４ａに係合し、かつ一対の押さえ部材８４のそれぞれが、対応する突出部７０のＹ軸方向外側に位置した状態で、−Ｘ方向にスライド（移動）させる。そして、トレー２３２の後方立ち上がり部４４が、背板２４に当接したことを確認すると、利用者は、一対の固定部材６０ａから手を離すと同時に、一対の押さえ部材８４から手を離す。各押さえ部材８４は、それぞれに接続された弾性部材８６の付勢力により、Ｙ軸方向内側に移動し、対応する突出部７０の側面に圧接され、これにより、トレー２３２（トレーユニット１９２）が床頭台本体９８に固定される。
【００４４】
次にトレー２３２（トレーユニット１９２）の取り外し動作について説明する。利用者は、トレー２３２上に空のカップなどを載置した状態又はトレー２３２上からカップなどを取り去った状態で、例えば−Ｙ側の固定部材６０ａを左手で把持し、＋Ｙ側の固定部材６０ａを右手で把持する。このとき、利用者は、押さえ部材８４を弾性部材８６の付勢力に抗しＹ軸方向外側に移動させ押さえ部材８４と突出部７０との接触を解除する。次に、一対の固定部材６０ａを把持した状態で、利用者は、固定部材６０ａと共にトレー２３２（トレーユニット１９２）を＋Ｘ方向にスライド（移動）させ、天板３０（突出部７０）上からトレー２３２（トレーユニット１９２）を引き抜く。
【００４５】
以上説明したように、本第３の実施形態によれば、上述の第２の実施形態で得られる効果に加え、トレー２３２（トレーユニット１９２）を突出部７０に取り付けるための溝部６４ａを広く設定しているので、トレー２３２（トレーユニット１９２）の取り付けを容易に行うことができる。
【００４６】
《第４の実施形態》
次に第４の実施形態について図７に基づいて説明する。第４の実施形態に係る床頭台は、トレーユニットの構成の一部、具体的には、トレーの奥行き方向の長さが調整可能になっている点を除き、上記第３の実施形態とほぼ同じ構成である。以下、上記第３の実施形態と同様の構成、及び機能を有する部材については、上記第３の実施形態と同じ符号を用いると共に、その説明を省略する。
【００４７】
第４の実施形態に係るトレーユニット２９２は、中空部材から成る中空トレー３３２ｃと中実部材から成る中実トレー３３２ｄとを有するトレー３３２と、中空トレー３３２ｃの一対の側方立ち上がり部４５ｃそれぞれのＹ軸方向外側面に固定された一対の固定部材６０ａ（−Ｙ側に配置される固定部材６０ａは、図面の錯綜を防止するため不図示）とを有している。
【００４８】
中空トレー３３２ｃは、平面視矩形の中空の底面部４２ｃと、底面部４２ｃのＹ軸方向の両端に接続された一対の中空の側方立ち上がり部４５ｃとを有している。一対の側方立ち上がり部４５ｃのそれぞれと底面部４２ｃとに形成された中空部は、連通しており、ＹＺ断面で凹状を有する凹状中空部８２が形成されている。一対の側方立ち上がり部４５ｃの外側の面には、それぞれ固定部材６０ａが接続されている。一対の固定部材６０ａには、第３の実施形態と同様に溝部６４ａの内壁に不図示の弾性部材を介して不図示の押さえ部材が接続されている。なお、固定部材６０ａの構成はこれに限らず、側板２３の突出部７０にトレー３３２が取り付けられれば良いので、例えば第２の実施形態で使用された可動式の固定部材６０を用いても良い。
【００４９】
中実トレー３３２ｄは、平面視矩形の中実の底面部４２ｄ、底面部４２ｄの−Ｘ側面に接続された中実の後方立ち上がり部４４ｄ及び底面部４２ｄのＹ軸方向両端に接続された一対の側方立ち上がり部４５ｄを有している。中実トレー３３２ｄの一対の側方立ち上がり部４５ｄは、中空トレー３３２ｃの一対の側方立ち上がり部４５ｃに比べ高さ及び幅方向の寸法が幾分小さく、ＹＺ断面における底面部４２ｄと後方立ち上がり部４４ｄとの寸法は、凹状中空部８２の寸法とほぼ同じ又は僅かに小さくなっている。中実トレー３３２ｄは、中空トレー３３２ｃに対して−Ｘ側に配置され、底面部４２ｄと一対の側方立ち上がり部４５ｄとは、少なくとも一部が凹状中空部８２に対してＸ軸方向にスライド可能に収納される。
【００５０】
次に、トレー３３２（トレーユニット２９２）の取り付け動作について説明する。利用者は、トレー３３２を第３の実施形態と同様の方法で天板３０上に装着した後、中実トレー３３２ｄを中空トレー３３２ｃから後方（−Ｘ方向）に引き出す。中実トレー３３２ｄの後方への引き出し動作は、後方立ち上がり部４４ｄが背板２４に接触するまで行うことが望ましい。トレー３３２を取り外す際は、中実トレー３３２ｄを中空トレー３３２ｃ内に収納してからトレー３３２を前方（＋Ｘ方向）に引き出しても良いし、トレー３３２を引き出してから中実トレー３３２ｄを収納しても良い。
【００５１】
以上説明したように、本第４の実施形態によれば、上述の各実施形態で得られる効果に加え、奥行き方向（Ｘ軸方向）にトレー３３２が引き出されるので、トレー３３２上面をより広く利用することができる。また、中実トレー３３２ｄと中空トレー３３２ｃとを分離して、別々に水洗いなどすることも可能である。
【００５２】
なお、上記各実施形態で説明した構成は、適宜変更が可能である。例えば、上記各実施形態において、溝部６４，６４ａの形状を−Ｘ側に向かうにつれ溝幅が広くなるようにテーパを切っても良い。
【００５３】
また、例えば、上記各実施形態では、一対の固定部９０又は固定部材６０，６０ａの溝部６４，６４ａを一対の側板２３の突出部７０に嵌合させた状態でトレー３２，１３２，２３２，３３２（又はトレーユニット９２，１９２，２９２）を、Ｘ軸方向にスライド（移動）させて天板３０上に装着する場合について例示したが、これに限らずトレー３２，１３２，２３２，３３２（又はトレーユニット９２，１９２，２９２）を、上方（＋Ｚ側）から下方（−Ｚ側）に下ろすことで、固定部９０又は固定部材６０，６０ａの溝部６４，６４ａを突出部７０に嵌合させるようにしても良い。このようにトレー３２，１３２，２３２，３３２（又はトレーユニット９２，１９２，２９２）をＺ軸方向に移動させることで突出部から着脱する場合は、溝部６４，６４ａに＋Ｚ側から−Ｚ側に向かうに連れ溝幅が大きくなるようにテーパを設けても良い。
【００５４】
また、上記第２の実施形態では、−Ｙ側の固定部材６０にのみ弾性部材６２を接続したが、これに限らず＋Ｙ側の固定部材６０に弾性部材６２を接続しても良いし、一対の固定部材６０それぞれに弾性部材６２を接続しても良い。
【００５５】
また、上記第２の実施形態では、弾性部材６２が自然長のときに、一対の溝部６４間のＹ軸方向の間隔が側板２３のＹ軸方向の間隔よりも長いものに関して使用するのであれば、固定部材６０に溝部６４を形成せずに固定部材６０の側面（Ｙ側面）と突出部７０の側面とを弾性部材６２の付勢力により圧接させ、摩擦抵抗によってトレー１３２又はトレーユニット９２が天板３０上からずれないようにしても良い。この場合、摩擦力を高めるために、固定部材６０の突出部７０に対する接触面に摩擦係数の大きいコーティングを施しても良いし、ゴムなどを固定しても良い。
【００５６】
また、上記第４の実施形態では、トレー３３２及び固定部材６０ａなどから構成されるトレーユニット２９２を床頭台本体９８に対して着脱するものとしたが、前述した第１の実施形態と同様に、トレー３３２のみを床頭台本体９８に対して着脱することとしても良い。この場合において、トレー３３２として、上記第１の実施形態と同様に下面に溝部６４が設けられた一対の側方立ち上がり部４５を有するトレーを用いても良いが、これに限らず、一対の突出部７０の内壁面相互間に所定の僅かな隙間を介して挿入可能となるサイズに一対の側方立ち上がり部を含むトレーの幅方向のサイズを設定する場合には、溝部６４が形成されていない一対の側方立ち上がり部４５ａを有するトレー３３２を用いても良い。この場合において、一対の立ち上がり部４５ａの外面にガタつき防止用の凸部などを設けても良い。
【００５７】
また、第４の実施形態では、中空トレー３３２ｃと中実トレー３３２ｄとを用いて、トレー３３２のＸ軸方向長さを調整可能なトレー３３２について説明したが、これに限らず、例えばＹ軸方向に長さ調整が可能なトレーを用いても良い。
【００５８】
また、特に、第４の実施形態では、トレー３３２表面に撥水性を有するコーティングを施しても良い。撥水性コーティングを行うことで、毛細管現象により、利用者が飲み物などの液体をこぼしたときに中空トレー３３２ｃと中実トレー３３２ｄとの僅かな隙間に液体が流入することを防ぐことができる。この際、表面に微小な凹凸を設けることで、更に疎水性を向上させ液体の流入を防ぐようにしても良い。
【００５９】
また、第４の実施形態では、中実トレー３３２ｄの有する底面部４２ｄの＋Ｘ側端部近傍にＹ軸方向に延びる水受け部（液体収容用凹部）を設けても良い。
【００６０】
また、上記第４の実施形態では、一対の固定部材６０ａに形成された溝部６４ａを一対の側板２３の有する突出部７０に嵌合させることでトレーユニット２９２又はトレー３３２を装着したが、これに限らず、−Ｙ側もしくは＋Ｙ側の固定部材６０ａのうち、片側の固定部材６０ａに形成された溝部６４ａを突出部７０に嵌合させても良い。このように嵌合させる場合は、固定部材６０ａは、片側にのみ配置すれば良い。この点については、第１及び第３の実施形態においても同様である。
【００６１】
また、上記第２〜第４の実施形態では、弾性部材６２，８６の付勢力により固定部材６０，６０ａ又は押さえ部材８４を突出部７０に圧接させることでトレー１３２，２３２，３３２（又はトレーユニット９２，１９２，２９２）が突出部７０に対して移動しないようにしたが、トレー１３２，２３２，３３２（又はトレーユニット９２，１９２，２９２）を床頭台本体９８に対して固定する構造は、これらに限定されないことは勿論である。ただし、トレーを天板３０上に装着した際にトレーが天板３０上でがたつかない構造であることが望ましい。
【００６２】
また、上記各実施形態では、固定部９０又は固定部材６０の溝部６４，６４ａと側板２３の突出部７０とを嵌合させることで、トレー３２，１３２，２３２，３３２（又はトレーユニット９２，１９２，２９２）が天板３０上を移動しないように装着されていたが、これに限らず、トレー３２，１３２，２３２，３３２（又はトレーユニット９２，１９２，２９２）下面に磁石を固定し、天板３０の上面にトレー３２，１３２，２３２，３３２（又はトレーユニット９２，１９２，２９２）に固定した磁石に引力を生じる磁石を固定することで、着脱可能なトレー３２，１３２，２３２，３３２（又はトレーユニット９２，１９２，２９２）を構成しても良い。
【００６３】
なお、上記各実施形態では、トレー３２，１３２，２３２，３３２（又はトレーユニット９２，１９２，２９２）が、一対の突出部７０を介して床頭台本体９８に装着された場合について説明したが、これに限らず、一対の第２突出部３５を介してトレー３２，１３２，２３２，３３２（又はトレーユニット９２，１９２，２９２）が、床頭台本体９８に脱着可能に装着されていても良い。また、一対の突出部７０を介してトレー３２，１３２，２３２，３３２（又はトレーユニット９２，１９２，２９２）を床頭台本体９８に装着する構成を採用する場合、天板３０は必ずしも設けなくても良い。同様に、一対の第２突出部３５を介してトレー３２，１３２，２３２，３３２（又はトレーユニット９２，１９２，２９２）を床頭台本体９８に装着する構成を採用する場合、天井板２５は必ずしも設けなくても良い。また、同じトレー３２，１３２，２３２，３３２（又はトレーユニット９２，１９２，２９２）が、一対の突出部７０及び一対の第２突出部３５をそれぞれ介して床頭台本体９８に脱着可能に構成されていても良いし、一対の突出部７０、一対の第２突出部３５のそれぞれを介して床頭台本体９８に脱着可能に装着される２つのトレー３２，１３２，２３２，３３２（又はトレーユニット９２，１９２，２９２）が設けられていても良い。
【００６４】
また、上記各実施形態では、天板３０及び天井板２５上に装着するトレー３２，１３２，２３２，３３２（又はトレーユニット９２，１９２，２９２）を備える床頭台２０について説明したが、これに限らず、床頭台２０は、更に天板３０及び天井板２５上に装着する交換用の予備のトレー又はトレーユニットを備えていても良い。また、各実施形態におけるトレー３２，１３２，２３２，３３２（又はトレーユニット９２，１９２，２９２）は組み合わせ自在であり、例えば天板３０上にトレー３２を装着し、天井板２５上にトレーユニット２９２を装着しても良い。
【００６５】
また、上記各実施形態では、液晶テレビ４０を吊り下げ可能なミドルタイプの床頭台に本発明が適用された場合について説明したが、これに限らず上記床頭台本体９８のキャビネット部９６に相当する部分のみから成るいわゆるロータイプの床頭台は勿論、上記床頭台本体９８の天井板２５の上部に戸棚等が一体的に設けられたいわゆるハイタイプの床頭台に本発明を適用しても良い。また、床頭台２０に限らず、棚及び台などにトレー３２，１３２，２３２，３３２又はトレーユニット９２，１９２，２９２を用いても良い。
【００６６】
また、トレー３２，１３２，２３２，３３２はプラスチックの１枚板から構成されているが、これに限らずトレー３２，１３２，２３２，３３２は、一時的に液体を保持可能であれば良く、その際液体が付着する表面が防水性であることが望ましい。従って、例えば表面のみ防水性を有する部材で構成された２層以上の多層構造としても良いし、親水性の部材の表面に疎水性のコーティングを施しても良い。
【符号の説明】
【００６７】
２０…床頭台、２３…側板、２４…背板、２５…天井板、２６…突出部、３０…天板、３２…トレー、４２…底面部、６０…固定部材、６２…弾性部材、６４…溝部、８２…凹状中空部、９０…固定部、９６…キャビネット部、９８…床頭台本体、３３２ｃ…中空トレー、３３２ｄ…中実トレー。
【図１】
2013070948.tif 000003
【図２】
2013070948.tif 000004
【図３】
2013070948.tif 000005
【図４】
2013070948.tif 000006
【図５】
2013070948.tif 000007
【図６】
2013070948.tif 000008
【図７】
2013070948.tif 000009